(57)【要約】【課題】テープファスナがウエスト回り方向において引っ張られた状態で安定的に掛止めされるとともに、吸液構造体の両側縁近傍における段差の形成を抑制することのできるパンツ型着用物品の提供。【解決手段】使い捨てのパンツ型着用物品は、第１及び第２ウエスト域１３，１４のうちの少なくとも第１ウエスト域１４は横方向Ｘにおいて弾性を有しており、テープファスナ２０は、第１ウエスト域１４の側縁部１４ｄの近傍に固定された近位部２１と、テープファスナ２０を第２ウエスト域１３の非肌対向面に剥離可能に掛止めするための掛止め域６８を有する遠位部２２とを含み、掛け止め域６８が、第２ウエスト域１３において吸液構造体４１の側縁４１ｃ，４１ｄと平面視において重なるように配置される。【選択図】図１
2015134019.tif 000002
【特許請求の範囲】
【請求項１】
縦方向及びそれに直交する横方向を有し、肌対向面及びその反対側の非肌対向面と、前後ウエスト域の一方である第１ウエスト域と、前記前後ウエスト域の他方である第２ウエスト域と、前記第１及び第２ウエスト域間に位置するクロッチ域と、前記クロッチ域を中心として少なくとも前記第２ウエスト域に延びる吸液構造体を含み、前記第１及び第２ウエスト域において前記縦方向へ延びる側縁部どうしが互いに重なり合って接合され、前記第１ウエスト域の側縁部の近傍においてテープファスナが取り付けられた使い捨てのパンツ型着用物品において、
前記第１及び第２ウエスト域のうちの少なくとも前記第１ウエスト域は前記横方向において弾性を有しており、
前記テープファスナは、前記第１ウエスト域の前記側縁部の近傍に固定された近位部と、前記テープファスナを前記第２ウエスト域の前記非肌対向面に剥離可能に掛止めするための掛止め域を有する遠位部とを含み、
前記掛け止め域が、前記第２ウエスト域において前記吸液構造体の側縁と平面視において重なるように配置されることを特徴とする前記着用物品。
【請求項２】
前記テープファスナは、繊維不織布製である請求項１に記載の着用物品。
【請求項３】
前記第２ウエスト域において、少なくとも前記テープファスナの掛止め域が掛け止めされる領域は前記横方向において弾性を有する請求項１又は２に記載の着用物品。
【請求項４】
前記第１ウエスト域の弾性域の伸長応力が、前記第２ウエスト域の弾性域の伸長応力よりも高い請求項３に記載の着用物品。
【請求項５】
前記第２ウエスト域の弾性域は、前記吸液構造体を横断して、前記第２ウエスト域の両側縁間において前記横方向へ延びる複数条のストリング状又はストランド状の弾性部材から形成される請求項３又は４に記載の着用物品。
【請求項６】
前記第２ウエスト域の弾性域は、前記横方向へ延びる複数条のストリング状又はストランド状の弾性部材から形成され、前記第２ウエスト域の側縁から前記吸液構造体の側縁まで延び、互いに前記横方向へ離間して位置する一対の弾性域を有し、前記一対の弾性域間には非弾性域が位置する請求項３又は４に記載の着用物品。
【請求項７】
前記第２ウエスト域の前記吸液構造体の存在域には、外面から視認可能な装飾要素を有するイラストシートが配置されており、前記第２ウエスト域に配置された前記弾性部材は、前記イラストシートの内面側に位置しており、前記吸液構造体の両側域と平面視において重なる部分において伸長応力を発現しており、前記吸液構造体の前記両側域間に位置する中央域においては実質的に伸長応力が発現されていない請求項５又は６に記載の着用物品。
【請求項８】
前記第１ウエスト域は、前記テープファスナの前記近位部が固定される上方弾性域と、前記上方弾性域よりもクロッチ域側に位置する下方弾性域とを有し、前記上方弾性域の伸長応力が前記下方弾性域の伸長応力よりも高い請求項１〜７のいずれかに記載の着用物品。
【請求項９】
前記掛止め域はメカニカルファスナのフック要素を有するフックシートから形成されており、前記掛止め域の位置する高剛性部の前記テープファスナの両側縁部どうしを互いに近づける方向のＫＥＳ曲げ剛性値は、約０．５６〜１．８ｇｆ・ｃｍ２／ｃｍである請求項１〜８のいずれかに記載の着用物品。
【請求項１０】
前記吸液構造体の前記側縁近傍には起立性向を有するバリアカフが設けられており、前記テープファスナの前記掛止め域が前記第２ウエスト域において前記バリアカフと平面視において互いに重なる位置に掛け止めされる請求項１〜９のいずれかに記載の着用物品。
【請求項１１】
前記テープファスナは、前記遠位部が折曲された状態で仮止め部を介して前記近位部に仮止めされており、前記仮止め部は前記横方向において離間する第１及び第２仮止め部を有し、前記掛止め域は前記第１及び第２仮止部間における前記遠位部の内面に位置する請求項１〜１０のいずれかに記載の着用物品。
【請求項１２】
前記遠位部のうちの前記近位部と前記掛止め域との間には、前記近位部よりも剛性の高い高剛性領域が形成される請求項１〜１１のいずれかに記載の着用物品。
【請求項１３】
前記テープファスナの前記遠位部は弾性を有する請求項１〜１２のいずれかに記載の着用物品。
【発明の詳細な説明】
【技術分野】
【０００１】
本発明は、使い捨てのパンツ型着用物品に関し、より詳しくは、テープファスナを有する使い捨てのパンツ型おむつに関する。
【背景技術】
【０００２】
従来、テープファスナを有する使い捨てのパンツ型着用物品は公知である。例えば、特許文献１には、吸液構造体と、前後ウエスト域に複数条のウエスト弾性体が配設されており、後ウエスト域におけるウエスト開口とレッグ開口との間に配置された一対のテープファスナを有する使い捨てのパンツ型の着用物品開示されている。テープファスナは、接着剤を塗布した接合域を介して後ウエスト域に固定される近位部と、近位部に折り畳まれた状態で掛止めされた遠位部とを有する。
【先行技術文献】
【特許文献】
【０００３】
【特許文献１】実開平６−７７７１９号公報
【発明の概要】
【発明が解決しようとする課題】
【０００４】
特許文献１に開示の着用物品によれば、ウエスト回りに延びるウエスト弾性体によって着用者の身体に対するフィット性が付与されるとともに、着用中にテープファスナを使用することによって、ウエスト周りの大きさを調整して種々のサイズの着用者にもフィットさせてずり落ちを防止することができるとともに、着用後に、排泄物を包み込むように着用物品を丸め、テープファスナで丸めた状態が維持できるように掛止めすることによって、衛生的に廃棄することができる。また、テープファスナは、裏面シートと同様のシート材料であって、透湿性を有する液不透過性のシートから形成され、柔軟性を有する。
【０００５】
しかし、かかる着用物品のテープファスナにおいては、テープファスナが比較的に短く、かつ、テープファスナの近位部及び遠位部がウエスト弾性体の配置された領域に位置してないため、その伸長応力を利用してテープファスナをウエスト回り方向へ引っ張った状態で安定して掛止ることができない。また、おむつ全般の課題として、吸液構造体の両側縁近傍に段差が生じて体液の漏れを誘発する原因となっていた。
【０００６】
そこで、本発明の課題は、従来の技術の改良であって、テープファスナがウエスト回り方向において引っ張られた状態で安定的に掛止めされるとともに、吸液構造体の両側縁近傍における段差の形成を抑制することのできるパンツ型着用物品の提供に関する。
【課題を解決するための手段】
【０００７】
本発明は、縦方向及びそれに直交する横方向を有し、肌対向面及びその反対側の非肌対向面と、前後ウエスト域の一方である第１ウエスト域と、前記前後ウエスト域の他方である第２ウエスト域と、前記第１及び第２ウエスト域間に位置するクロッチ域と、前記クロッチ域を中心として少なくとも前記第２ウエスト域に延びる吸液構造体を含み、前記第１及び第２ウエスト域において前記縦方向へ延びる側縁部どうしが互いに重なり合って接合され、前記第１ウエスト域の側縁部の近傍においてテープファスナが取り付けられた使い捨てのパンツ型着用物品に関する。
【０００８】
本発明の使い捨てのパンツ型着用物品は、前記第１及び第２ウエスト域のうちの少なくとも前記第１ウエスト域は前記横方向において弾性を有しており、前記テープファスナは、前記第１ウエスト域の前記側縁部の近傍に固定された近位部と、前記テープファスナを前記第２ウエスト域の前記非肌対向面に剥離可能に掛止めするための掛止め域を有する遠位部とを含み、前記掛け止め域が、前記第２ウエスト域において前記吸液構造体の側縁と重なるように配置されることを特徴とする。
【発明の効果】
【０００９】
本発明に係る使い捨てのパンツ型着用物品の一つい用の実施態様によれば、テープファスナの近位部が弾性を有する第１ウエスト域に配置されているので、その弾性を利用して第２ウエスト域に安定的に掛け止めることができる。また、遠位部に位置する掛止め部が、前ウエスト域の外面において吸液構造体の側縁と重なるように配置されるので、体液の漏れ等の原因ともなりうる吸液構造体の側縁近傍に生じる段差を抑えることができる。
【図面の簡単な説明】
【００１０】
図面は、本発明の特定の実施の形態を示し、発明の不可欠な構成ばかりでなく、選択的及び好ましい実施の形態を含む。
【図１】本発明の第１実施形態における使い捨て着用物品の一例として示す、背面側から見た使い捨ておむつの斜視図。
【図２】おむつのサイドシームを剥離して前後方向に伸展した状態をその内面から見た一部破断展開平面図。
【図３】おむつの分解斜視図。
【図４】図２のＩＶ−ＩＶ線に沿う模式的断面図。
【図５】図１のＶ−Ｖ線に沿う模式的断面図。
【図６】テープファスナの使用状態を示す、正面側から視たおむつの斜視図。
【図７】図６のＶＩＩ−ＶＩＩ線に沿う断面図。
【図８】テープファスナを使用しておむつを丸めた状態を示す図。
【図９】第２実施形態におけるおむつの図２と同様の展開平面図。
【図１０】第３実施形態におけるおむつの図２と同様の展開平面図。
【図１１】第３実施形態における、正面側から視たおむつの斜視図。
【図１２】第３実施形態におけるテープファスナの使用状態を示す、正面側から視たおむつの斜視図。
【図１３】第４実施形態におけるおむつの図２と同様の展開平面図。
【図１４】第４実施形態における、正面側から視たおむつの斜視図。
【図１５】第４実施形態におけるテープファスナの使用状態を示す、正面側から視たおむつの斜視図。
【図１６】第５実施形態における図５と同様の図。
【図１７】第５実施形態における図７と同様の図。
【図１８】第６実施形態における図５と同様の図。
【図１９】第７実施形態における図５と同様の図。
【発明を実施するための形態】
【００１１】
＜第１実施形態＞
図１〜３を参照すると、本発明の使い捨てのパンツ型着用物品の一例として示す使い捨ておむつ１０は、縦方向Ｙ及びそれに直交する横方向Ｘと、縦軸Ｐ及びそれに直交する横軸Ｑとを有する。
【００１２】
おむつ１０は、肌対向面及びその反対側の非肌対向面と、ウエスト周り方向へ延びる環状の弾性ウエストパネル１１と、弾性ウエストパネル１１と接合される吸収性シャーシ１２と、前ウエスト域（第１又は第２ウエスト域の一方）１３と、後ウエスト域（第１又は第２ウエスト域の他方）１４と、前後ウエスト域１３，１４間に位置するクロッチ域１５とを含む。おむつ１０は、縦軸Ｐに関して対称に形成されており、弾性ウエストパネル１１は、前ウエスト域１３に位置する前ウエストパネル１６と、後ウエスト域１４に位置する後ウエストパネル１７とから構成される。後ウエストパネル１７の両側部１８の外面には、それぞれ、テープファスナ２０の近位部２１が固定される。
【００１３】
前ウエスト域１３は、横方向Ｘへ延びる内端縁１３ａと、縦方向Ｙにおいて内端縁１３ａと離間対向して横方向Ｘへ延びる外端縁１３ｂと、内外端縁１３ａ，１３ｂ間において縦方向Ｙへ延びる両側縁１３ｃ，１３ｄとによって画定された横長矩形状を有する。
【００１４】
後ウエスト域１４は、横方向Ｘに延びる中間内端縁１４ａと、縦方向Ｙにおいて中間内端縁１４ａと離間対向して横方向Ｘに延びる外端縁１４ｂと、外端縁１４ｂから内方へ直状に延びる両側縁１４ｃ，１４ｄと、両側縁１４ｃ，１４ｄと中間内端縁１４ａとを曲状にむすぶ両側内端縁１４ｅ，１４ｆとによって画定された略台形状を有する。
【００１５】
前ウエスト域１３の両側縁１３ｃ，１３ｄのそれぞれと後ウエスト域１４の両側縁１４ｃ，１４ｄとは、互いに重ね合わされ、縦方向Ｙへ断続的に位置するサイドシーム２３によって連結されておむつ１０の両側縁部１９が形成され、ウエスト開口２４及び一対のレッグ開口とが画成される。サイドシーム２３は、公知の接合手段、例えば、熱エンボス／デボス加工、ソニック加工等の各種の熱溶着手段によってなされる。テープファスナ２０は、図５に示すとおり、その長さ方向において互いに対向する第１端（自由端）２０ａ及び第２端（固定端）２０ｂと、後ウエスト域１４の両側部１８に固定された近位部２１と、近位部２１と連続的に延びる遠位部２２とを有する。
【００１６】
本実施形態において、テープファスナ２０は、後ウエスト域１４の両側部１８に取り付けられているが、後記の本発明の効果を奏する限りにおいて、一方の側部１８にのみ取り付けられていてもよいし、前ウエスト域１３の両側縁部又はその一方に取り付けられていてもよい。
【００１７】
図３を参照すると、前ウエストパネル１６は、前ウエスト域１３を画定する矩形状の前ウエストシート２５を有する。前ウエストシート２５は、横方向Ｘに延び、互いに縦方向Ｙにおいて離間対向する内外端縁２５ａ，２５ｂと、縦方向Ｙに延び、内外端縁２５ａ，２５ｂ間に位置する両側縁２５ｃ，２５ｄとから形成される。前ウエストシート２５は、主体部２７と、吸収性シャーシ１２の前端部１２ａから縦方向の外側に位置する折曲部２６とをさらに有する。主体部２７の内面側には伸縮性繊維不織布から形成された前弾性シート４８が配置される。折曲部２６は、横方向Ｘ延びる折曲ライン２６ａに沿って縦方向Ｙの内側に折曲されて前弾性シート４８及び吸収性シャーシ１２の内面に固定される。ウエスト開口縁部において主体部２７と折曲部２６との間には、横方向Ｘへ延びる複数条のストランド状又はストリング状の前ウエスト弾性体（前上方ウエスト弾性体）２８が伸長状態で収縮可能に固定される。
【００１８】
後ウエストパネル１７は、後ウエスト域１４を画定する台形状の後ウエストシート３０を有する。後ウエストシート３０は、横方向Ｘに延び、互いに縦方向Ｙにおいて離間対向する中間内端縁３０ａ及び外端縁３０ｂと、縦方向Ｙへ延びる両側縁３０ｃ，３０ｄと、両側縁３０ｃ，３０ｄと内端縁３０ａとを結ぶ凹曲状の両側内端縁３０ｅ，３０ｆとから形成される。後ウエストシート３０は、主体部３１と、吸収性シャーシ１２の後端部１２ｂ縦方向Ｙの外側に位置し、両側縁３０ｃ，３０ｄ間において横方向Ｘへ延びる外折曲ライン３２と、外折曲ライン３２を介して後ウエストシート３０の内面側に折曲されて吸収性シャーシ１２の後端部１２ｂの内面と主体部３１の内面とに固定される外折曲部３３とを有する。主体部３１の下方側には、略台形状の後弾性シート４９が配置される。
【００１９】
後ウエストシート３０の主体部３１と外折曲部３３、主体部３１と後弾性シート４９との間には、複数条のストランド状又はストリング状の後ウエスト弾性体３５が横方向Ｘに伸長状態で収縮可能に配設される。また、後弾性シート４９と主体部３１との間には、横方向Ｘへ延びる臀部弾性体３６が伸長状態で収縮可能に配設される。
【００２０】
前後ウエストシート２５，３０としては、質量が約１０〜４０ｇ／ｍ２である、例えば、スパンボンド繊維不織布、ＳＭＳ（スパンボンド・メルトブローン・スパンボンド）繊維不織布、エアスルー繊維不織布、プラスチックシート、またはそれらのラミネートシート等を用いることができる。前後弾性シート４８，４９は、弾性的に伸縮性のエアスルー繊維（ステープル）不織布やスパンボンド繊維不織布から形成されており、横方向Ｘに約１．８〜３．０倍に伸長された状態で後ウエストシート３０に固定されている。前後ウエスト弾性体２８，３５及び臀部弾性体３６は、例えば、所要の伸長応力又は伸長応力を得るため、繊度が約３００〜８００ｄｔｅｘ、収縮又は弛緩された状態から約１．５〜３．５倍に伸長された状態で配置されたストリング状又はストランド状の弾性材料から形成することができるところ、その繊度や伸長倍率は所要の伸長応力や伸長応力に応じて適宜変更することができる。
【００２１】
吸収性シャーシ１２は、長方形状であって、前端部１２ａと、後端部１２ｂと、前後端部１２ａ，１２ｂ間に位置する中間部１２ｃとを有する。吸収性シャーシ１２は、肌対向面側に位置し、透液性を有する繊維不織布製の身体側ライナ４０と、曲状の両側縁を有する吸液性の吸液構造体４１と、吸液構造体４１の底面全体を覆う不透液性の防漏シート４２と、吸収性シャーシ１２の非肌対向面全体を形成する不透液性又は難透液性の被覆シート４３とを含む。吸液構造体４１は、フラッフパルプと超吸収性ポリマー粒子（ＳＡＰ）等との混合物、または、ＳＡＰのみから形成された吸液性の芯材と、芯材全体を包被するティッシュペーパ等の液吸収拡散性のコアラップシートとを含む。
【００２２】
被覆シート４３は、防漏シート４２の両側縁から横方向Ｘの外側に位置する両側部４４を有する。両側部４４は、身体側ライナ４０の両側縁に沿って内方へ折曲されており、該折曲部位に沿って縦方向Ｙへ延びる身体側ライナ４０に固定された近位固定部と、その両端部の内面が身体側ライナ４０に固定された両端固定部とを有する。両側部４４の外側縁には、身体側ライナ４０の内面に固定されていない、スリーブ状又はループ状の自由縁部４３ａが位置し、自由縁部４３ａの内部には縦方向Ｙへ延びる複数条のストリング状又はストランド状の弾性体４５が伸長状態で収縮可能に配設される。弾性体４５が収縮することによって、自由縁部４３ａが身体側ライナ４０から着用者の身体側へ離間し、両側部４４は、着用者の大腿部にフィットして排泄物の漏れを防止するバリアカフとして機能する。また、被覆シート４３の両側部４４と防漏シート４２との間には、ストリング状又はストランド状のレッグ弾性体４６が取り付けられる。
【００２３】
図２を参照すると、後ウエスト域１４は、後ウエスト弾性体３５によって少なくとも横方向Ｘへの弾性を付与された第１弾性域５１と、後弾性シート４９及び後ウエスト弾性体３５とによって少なくとも横方向Ｘへの弾性を付与された第２弾性域５２とを有する。テープファスナ２０の近位部２１（図５参照）は、後ウエスト域１４の両側部１８における第１弾性域５１に位置しており、後記のとおり、第１弾性域５１の収縮時においてその収縮力よって起伏する。ここで、第１弾性域５１とは、テープファスナ２０の近位部２１と平面視において重なる後ウエスト弾性体３５が配置された領域であって、第２弾性域５２とは、第１弾性域５１よりもクロッチ域１５側に位置する弾性域を意味する。第１弾性域５１は、その全部又は少なくとも１本の後ウエスト弾性体３５が、後ウエスト域１４の両側縁１４ｃ，１４ｄ間において横方向Ｘへ連続して延びており、その一部が吸収性シャーシ１２と平面視において重なっている。第２弾性域５２における後ウエスト弾性体３５は、本実施形態において、後ウエスト弾性体３５と同様に横方向に連続して延びているが、吸収性シャーシ１２と平面視において重なる部分において切断又は実質的に収縮力が発現しない状態（例えば、１．０〜１．３倍に伸長された状態）にされていることが好ましい。かかる場合には、第１弾性域５１の後ウエスト弾性体３５がその収縮力によって吸収性シャーシ１２を着用者の身体にフィットさせる一方、第２弾性域５２の後ウエスト弾性体３５が吸収性シャーシ１２と重なる部分において非連続とされていることによってその収縮力が吸収性シャーシ１２に直接的に作用せず、吸収性シャーシ１２を着用者の身体（膨らんだ下腹）の形状に沿ってフィットさせることができ、身体と吸収性シャーシ１２との間に生じた隙間から体液が漏れるのを防止することができる。第１弾性域５１と第２弾性域５２とは、同一又は異なる収縮力又は伸長応力を有するものであって、着用者の下腹部を圧迫することなくおむつ１０をフィットさせ、かつ、着用時におけるずり下がり等を防止するために、第２弾性域５２の収縮力又は伸長応力が第１弾性域５１のそれよりも高いことが好ましい。
【００２４】
図５を参照すると、後ウエスト域１４の外面に固定されたテープファスナ２０は、断面Ｚ字型に折り畳まれた１枚のテープであるベースシート５８を含む。テープファスナ２０は、接合域６０を介して後ウエスト域１４の外面に剥離不能に固定された近位部２１と、遠位部２２とを有する。遠位部２２は、近位部２１と連なりそれとテープファスナ２０の厚さ方向において対向する第１遠位部６１と、第１遠位部６１に連なりそれと厚さ方向において対向する第２遠位部６２とを有する。近位部２１，第１及び第２遠位部６１，６２は、積層された状態において第１及び第２折曲部５５，５６に位置する仮止め部６５，６６によって仮止めされる。遠位部２２は、第１折曲部５５に位置する仮止め部６５からサイドシーム２３側へ延びる摘持部６３をさらに有する。仮止め部６５，６６間における第２遠位部６２の内面には、メカニカルファスナのフック要素や感圧性接着剤から形成された掛止め域（ファスニング域）６８が配置される。本実施形態においては、複数のフック要素を有するフックシートが配置されている。
【００２５】
摘持部６３の先端に位置する第１端２０ａは、サイドシーム２３の横方向Ｘの外側に位置する側縁部１９に仮止め部６９を介して分離可能に固定される。第１端２０ａはその外側縁が側縁部１９の外側縁とほぼ面一であって、側縁部１９から横方向Ｘの外方へ突出しておらず、テープファスナ２０の折畳状態において摘持部６３が着用者の身体に触れて刺激を与えたりするおそれはない。テープファスナ２０の配置態様としては、本実施形態のように断面Ｚ字状に折り畳んだ態様のほかに、２つ折りにしたものや折曲せずに後ウエスト域１４の外面に配置したもの等が考えられるが、本実施形態のように複数に折り畳んだ場合には、テープファスナ２０の長さ寸法が比較的に大きなものであっても、コンパクトにおむつ１０に取り付けることができる。
【００２６】
ベースシート５８には、繊維不織布、例えば、質量が約２０〜１００ｇ／ｍ２、好ましくは、約４０〜８０ｇ／ｍ２のスパンボンド繊維不織布を好適に用いることができる。接合域６０には、例えば、質量約５〜２０ｇ／ｍ２の好ましくは疎水性のホットメルト接着剤を使用することができる。仮止め部６５，６６は、公知の加圧処理や加圧加熱処理を施すことによって設けることができ、例えば、エンボス／デボス処理またはソニック処理によって設けることができる。テープファスナ２０自体が熱可塑性の合成繊維を有するものである場合には、加圧加熱処理を施し、繊維が互いに熱融着することによってより安定的に仮止めすることができる。
【００２７】
＜曲げ剛性値＞
既述のとおり、テープファスナ２０は繊維不織布から形成されていることから、プラスチックフィルムから形成されている場合に比して柔軟性に優れており、さらに、テープファスナ２０において最も剛性が高くなる部分は掛止め域６８のフックシートが位置する部分（高剛性部）であるところ、フックシートとして比較的に柔軟な材料を使用することによって、テープファスナ２０の幅方向における柔軟性をさらに向上させることができる。
【００２８】
具体的には、テープファスナ２０の折り畳まれた状態における、高剛性部を除く部分の縦方向Ｙ（テープファスナ２０の幅方向であって、テープファスナ２０の両側縁部が互いに近づく方向）ＫＥＳ曲げ剛性値は０．０４〜０．４４ｇｆ・ｃｍ２／ｃｍ、高剛性部の縦方向ＹにおけるＫＥＳ曲げ剛性値は約０．５６〜１．８ｇｆ・ｃｍ２／ｃｍである。従来における、廃棄用またはサイズ調整用として使用される、プラスチックフィルムから形成されたテープファスナの折り畳まれた状態におけるＫＥＳ曲げ剛性値は、約２．０ｇｆ・ｃｍ２／ｃｍであることから、本実施形態のテープファスナは従来のテープファスナに比べて幅方向における曲げ剛性値が低く、柔軟性に優れる。かかる曲げ剛性値となるために、ベースシート５８には質量約２０〜１００ｇ／ｍ２のスパンボンド不織布を用いることが好ましく、少なくとも折り畳まれた状態におけるテープファスナ２０の両側縁部から所与寸法離間して仮止め部６５，６６が位置し、かつ、積層された部分の対向面全体が仮止めされていないことが好ましい。
【００２９】
後ウエスト域１４は後ウエスト弾性体３５の収縮作用によって横方向Ｘに収縮し、横方向Ｘに連続する複数の皺７１が形成される。また、後ウエスト域１４におけるテープファスナ２０の近位部２１が位置する領域には、少なくとも１条の後ウエスト弾性体３５が位置しており、該弾性体３５の収縮によって、テープファスナ２０は後ウエスト域１４とともにウエスト回り方向へ連続する起伏が生じる。仮止め部６５と仮止め部６６との間において近位部２１に固定された第１及び第２遠位部６１，６２は、近位部２１が変形してその長さ寸法が小さくなることによる影響を受けて、後ウエスト域１４の外面から離間する方向へ浮き上がったような状態となり、摘持部６３も外面から離間するので、テープファスナ２０の操作時に着用者又は着用補助者は、摘持部６３を摘み易くなる。また、遠位部２２がこのように後ウエスト域１４の外面から離間することによって、テープファスナ２０が積層された状態であってもその配置領域が着用者に違和感を与える程度に高い剛性を有することはない。かかる構成を有するテープファスナ２０において、仮想線で示すとおり、おむつ１０の着用者又は着用補助者が摘持部６３を摘んで矢印Ｆの方向へ引っ張り上げることによって、仮止め部６５，６６，６９による仮止めが解除され、テープファスナ２０が展開される。
【００３０】
図６，７を参照すると、展開したテープファスナ２０は、第２遠位部６２の掛止め域６８を介して前ウエスト域１３の外面に掛止められる。テープファスナ２０のベースシート５８は繊維不織布製であるので、それが比較的に剛性の高いプラスチックシートから形成される場合に比して柔軟であり、湾曲した前ウエスト域１３の外面に沿って延びる。また、前記のとおり、近位部２１が後ウエスト域１４の収縮に合せて変形し易く、遠位部２２全体にはそれを後ウエスト域１４側に引っ張ろうとする力が作用する。したがって、前ウエスト域１３の外面に掛止めされた遠位部２２が後方へ引っ張られて、おむつ１０の両側縁部１９が近位部２１と遠位部２２との間で引き寄せられるので、前後ウエスト域１３，１４を着用者の身体にフィットさせることができ、サイズ調整が容易である。なお、掛止め域６８は、フック要素のほかに粘着剤を塗布することによって設けてもよい。掛止め域６８が、メカニカルファスナのフック要素から形成されている場合には、繊維不織布から形成された前ウエストシート２５に直接掛止めすることのほかに、前ウエスト域１３の外面にループ要素を有するランディング又はターゲットシートを貼付して該シートに掛止めしてもよい。
【００３１】
また、第２遠位部６２の掛止め域６８は前ウエスト域１３の外面において、吸液構造体４１の両側縁４１ｃ，４１ｄに重なり、かつ、それよりも横方向Ｘの内側に延びている。吸液構造体４１はフラッフ木材パルプや超吸収性ポリマー粒子等の吸収性・離散材料から形成されており、圧縮復元弾性を有するものであって、その配置領域は外方へ膨らんだような形態を有する。したがって、吸液構造体４１の両側縁４１ｃ，４１ｄが外方へ突出して該部分において段差が生じ、特に吸液構造体４１が体液を吸収保持した後はさらに膨出して該段差が大きくなり、体液の漏れを誘発したり、おむつ１０の外観を損ねる場合がある。
【００３２】
本実施形態においては、テープファスナ２０の遠位部２２の掛止め域６８が吸液構造体４１の両側縁４１ｃ、４１ｄの少なくとも一方の側縁と平面視において重なるように配置されており、かつ、テープファスナ２０の遠位部２２全体に後ウエスト弾性体３５の収縮作用によってそれを後方へ引っ張ろうとする力が作用し、テープファスナ２０全体がウエスト回り方向へ引っ張られているので、吸液構造体４１の両側縁４１ｃ，４１ｄにはその突出を抑えるように後方へ引っ張ろうとする力が作用する。したがって、掛止め域６８の配置領域及びその近傍において吸液構造体４１の両側縁４１ｃ，４１ｄが外方へ突出せず、体液の漏れの原因となるような段差が生じることを抑制することができる。
【００３３】
ここで、「テープファスナ２０が吸液構造体４１の両側縁４１ｃ，４１ｄと平面視において重なるように配置される」とは、おむつ１０の着用状態において、テープファスナ２０を展開したときに、その遠位部２２の掛止め域６８が前ウエスト域１３側に位置する吸液構造体４１の前端部の一部（少なくとも両側縁）に平面視において重なることを意味する。かかる構成を確認する方法としては、例えば、ｉ）まず、おむつ１０を横方向へ皺が形成されない程度まで伸長させた状態で前後ウエスト域１３，１４におけるサイドシーム２３間の距離（前ウエスト域１３の横方向Ｘの寸法Ｗ１、後ウエスト域１４の横方向Ｘの寸法Ｗ２）を測定し、ｉｉ）次に、（寸法Ｗ１＋Ｗ２：おむつ１０のウエスト回り寸法）×７５％の外径寸法を有する円筒を準備して、円筒をウエスト開口からおむつ１０に挿入して円筒に前後ウエスト域１３，１４を保持させた状態において、後ウエスト域１４に固定された積層状態のテープファスナ２０を展開して前ウエスト域１３側へ引っ張り、引っ張られたテープファスナ２０の遠位部２２の掛止め域６８が前ウエスト域１３側の吸液構造体４１の両側縁４１ｃ，４１ｄと平面視に重なることを確認する。なお、テープファスナ２０は、後ウエスト域１４の一方の側部１８にのみ配置されていてもよく、かかる場合には、単一のテープファスナ２０がそれに対応する後ウエスト域１４の側縁１４ｃ，１４ｄと平面視において重なっていればよい。
【００３４】
このような本願発明の効果を奏するためには、テープファスナ２０の近位部２１が位置する後ウエスト域１４における第１弾性域５１（後弾性域）の伸長応力が、前ウエスト域１３において第１弾性域５１と前後方向において対向する弾性域（前弾性域）よりも大きいことが好ましい。かかる場合には、後弾性域の収縮量が前弾性域のそれよりも多くなり、テープファスナ２０を前ウエスト域１３に止着した状態において前ウエスト域１３側がより後方へ引っ張られるので、掛止め域６８による吸液構造体４１の両側縁４１ｃ，４１ｄをより強く抑えることができる。また、後弾性域の伸長応力が前弾性域のそれよりも大きいことによって、テープファスナ２０の近位部２１の位置ずれを防止し、背面側のフィット性を向上させることができる。
【００３５】
具体的には、後弾性域の伸長応力が約０．３〜０．５Ｎ／１０ｍｍであるのに対して、前弾性域の伸長応力は、０．１５〜０．３５Ｎ／１０ｍｍである。
【００３６】
＜伸長応力の測定方法＞
前後弾性域の伸長応力は、（株）島津製作所製：オートグラフ型引張試験機（例えば形式ＡＧ−１ＫＮＩ）を用いて、サイクル試験にて測定した。まず、おむつ１０を図２に示すように展開して表面に皺が形成されなく成る程度にまで縦方向Ｙ及び横方向Ｘに引っ張った状態において、後ウエスト域１４の後弾性域から、テープファスナ２０の近位部２１の両側縁に沿って横方向Ｘへ並行に延びる切断ラインに沿って切り出された、近位部２１の固定領域を試料１とし、また、前ウエスト域１３における近位部２１の固定領域と対向する前弾性域の部分を切り出して試料２とする。おむつの前後ウエスト域１３，１４においてサイドシーム２３間の横方向Ｘにおける寸法（前後ウエスト域１３，１４の幅寸法Ｗ１，Ｗ２）を予め測定し、各試料のサイドシームの位置する両端を引張試験機の一対のチャック（初期のチャック間距離は１００ｍｍとし、サンプルに合わせ適宜調整する）に挟み、１００ｍｍ／分の速度で初期寸法Ｗ１，Ｗ２の約８５％まで伸長させた後に、初期寸法Ｗ１，Ｗ２の約７０％の長さまで収縮させたときの引張荷重（Ｎ）を求めて、１０ｍｍ幅当たりの応力値（Ｎ／１０ｍｍ）に換算して伸長応力とする。
【００３７】
図８を参照すると、おむつ１０を廃棄する態様の一例が示されており、まず、おむつ１０の使用後に、サイドシーム２３を剥離して前後ウエスト域１３の両側縁部を離間させ、該両側縁部を内側へ折り曲げ、クロッチ域１５を前後ウエスト域１３，１４に向かって丸め込むように折り曲げる。次に、テープファスナ２０の遠位部２２を掛止め域６８を介してクロッチ域１５の外面に掛止めする。これにより、おむつ１０を丸めた状態を保持することができ、排泄物を外部に漏らすことなく衛生的に廃棄することができる。特に、通常のテープファスナを備えた開放型おむつにおいては、おむつを丸めた状態を比較的に長時間維持することができず、廃棄用の収容箱に一時的に保管しているときにテープファスナの掛止め力が低下して、掛止めが解除されるおそれがあるところ、本実施形態におけるおむつ１０によれば、かかる不利益を生じるおそれはない。また、既述のとおり、掛止め域６８はメカニカルファスナのフック要素や粘着剤等によって形成することができるが、フック要素で形成されている場合には、感圧性接着剤で形成されている場合に比して比較的に長時間掛止め状態を維持することができる。また、掛止め域６８がフック要素で形成されている場合には、体液で濡れても掛止め強度が低下することがなく、さらに、おむつ１０を丸めて廃棄するときに、掛止めが解除された場合やおむつ１０の丸めた状態を維持するためにさらに強く締め付ける場合等において繰り返し掛止め操作を行うことができる。
【００３８】
以下の各実施形態におけるおむつ１０は、第１実施形態と基本的構成態様が同一であって、相違する点についてのみ説明する。
【００３９】
＜第２実施形態＞
図９を参照すると、本実施形態においては、後弾性シート４９が後ウエスト域１４のほぼ全域に延在しており、テープファスナ２０の近位部２１が平面視において後弾性シート４９と重なるように位置している。このように、後ウエスト域１４のテープファスナ２０の近位部２１と重なる位置に伸縮性繊維不織布から形成された後弾性シート４９が配置されることによって、糸状の後ウエスト弾性体３５によって伸縮性を付与する場合に比して、後ウエスト域１４全体が着用者の背側に面状にフィットされるとともに、着用状態における近位部２１の位置ずれを防止することができる。それにより、掛止め域６８が平面視において重なって位置する吸液構造体４１を後方へ安定的に引っ張ることができ、おむつ１０全体の位置ずれを防止することができる。
【００４０】
＜第３実施形態＞
図１０及び１１を参照すると、本実施形態においては、前ウエスト域１３の外端縁１３ｂに沿って横方Ｘへ延びる複数条のストリング状又はストランド状の前上方ウエスト弾性体２８と、前上方ウエスト弾性体２８と隣接し、かつ、その下方において横方向Ｘへ延びる複数条のストリング状又はストランド状の前下方ウエスト弾性体７３が配設されている。前ウエスト域１３は、前上方ウエスト弾性体２８が配設されることによって少なくとも横方向Ｘへ弾性を有する前上方弾性域７１と、前下方ウエスト弾性体７３が配設されることによって少なくとも横方向Ｘへの弾性を有する前下方弾性域７２とを有する。
【００４１】
また、前ウエスト域１３の主体部２７と外折曲部２６及び前弾性シート４８との間には、複数の装飾要素７５が印刷された、防漏性のプラスチックフィルムから形成されたイラストシート７６が配置される。装飾要素７５は、外部から視認可能であって、本実施形態においては、その一例として、星の図柄が示されているが、各種公知の図形、装飾模様、絵柄、商品の商標等であってもよい。前ウエストシート２５は、それを透過して装飾要素７５が外部から視認される程度の全光線透過率を有する。このように、前ウエスト域１３全体に弾性部材が配置されていることから吸液構造体４１の前端部にその伸長応力が作用して皺が形成され、横方向Ｘにおける寸法（幅寸法）が小さくなるとともに、イラストシート７６の幅寸法が小さくなり装飾要素７５が所与の形態を維持できず、輪郭が不明瞭となる。
【００４２】
図１１及び１２を参照すると、かかる実施形態においてテープファスナ２０を展開してその掛止め域６８を前ウエスト域１３の吸液構造体４１の両側縁４１ｃ，４１ｄと重なるように掛止めすることによって、両側縁４１ｃ，４１ｄがそれぞれ後方へ引っ張られ、吸液構造体４１の前端部全体が横方向Ｘへ拡げられる。すなわち、テープファスナ２０の遠位部２２が後ウエスト弾性体３５の伸長応力によって後方へ引っ張れるともに、掛止め域６８が吸液構造体４１の両側縁４１ｃ，４１ｄと重なり、かつ、吸液構造体４１を横断する前下方ウエスト弾性体７３の中央部分が伸長されることから、テープファスナ２０がウエスト回り方向へさらに引っ張られる。それにより、吸液構造体４１及び身体側ライナ４０に形成されていた皺が広げられ、それらの吸収性能の低下を防止することができる。また、前後ウエスト域１３，１４の余剰部分は両側縁部１９近傍にたくり寄せられて、前後ウエスト域１３，１４の中央部における吸液構造体４１の配置領域は、テープファスナ２０及び後ウエスト弾性体３５と前下方ウエスト弾性体７３とによってウエスト回り方向へ引っ張られた状態となるので、吸液構造体４１の前端部において前下方ウエスト弾性体７３の収縮作用によって生じていた皺が伸ばされて、イラストシート７６の装飾要素７５が所与の形態を呈し、その輪郭が明瞭となる。
【００４３】
また、本実施形態においては、吸液構造体４１の両側縁４１ｃ，４１ｄ近傍においてバリアカフを形成する被覆シート４３の両側部４４が配置される。吸収性シャーシ１２全体の横方向Ｘの寸法が前下方ウエスト弾性体７３の収縮作用によって縮められ、両側部４４どうしが互いに接近することによって自由部が内倒しされてバリアカフが排泄物の漏れを防止しうる程度に起立できなくなるおそれがあるところ、テープファスナ２０の掛止め域６８が両側部４４上に位置することによって、吸液構造体４１とともに両側部４４も後方へ引っ張られ、バリアカフを所定の高さにまで起立させることができる。
【００４４】
本実施形態のように、テープファスナ２０の近位部２１が第１弾性域５１に位置し、かつ、遠位部２２の掛止め域６８が前下方弾性域７２に位置している態様において、例えば、繊度約４５０〜５００ｄｔｅｘの後ウエスト弾性体３５を約２．６倍に伸長した状態で配置して第１弾性域５１を形成し、かつ、繊度約４５０〜５００ｄｔｅｘの前下方ウエスト弾性体７３を約２．０倍に伸長した状態で配置して前下方弾性域７２を形成する等して、第１弾性域５１の伸縮率及び伸長応力が前下方弾性域７２のそれよりも高くなるように設定することが好ましい。かかる場合においては、テープファスナ２０がウエスト回り方向に伸長された状態において後方へ引っ張られ、より吸液構造体４１の前端部をウエスト回り方向へ拡げるように作用するからである。
【００４５】
＜第４実施形態＞
図１３〜１５を参照すると、本実施形態において、前ウエスト域１３において前下方ウエスト弾性体７３と、複数の装飾要素７５を有するイラストシート７６が配置されている。前下方ウエスト弾性体７３は、少なくとも吸収性シャーシ１２の両側部を横断して吸液構造体４１の両側部と平面視において重なっており、吸液構造体４１の中央部には実質的に配置されていない。前下方ウエスト弾性体７３の配設された領域には横方向Ｘにおいて互いに離間し、かつ、対向して位置する弾性域７２Ａ，７２Ｂ、それらの間には非弾性域７８がそれぞれ画成される。非弾性域７８は、前下方ウエスト弾性体７３の中央部をシート部材に固定せず、かつ、伸長状態において該中央部の一部を切断してスナップバックさせることで画成することができる。このように、前下方ウエスト弾性体７３のうちの吸液構造体４１と交差する部分が切断、除去されていることによって、前下方ウエスト弾性体７３の収縮作用によって吸液構造体４１の吸収性能が低下することはない。
【００４６】
本実施形態において、テープファスナ２０を展開して、掛止め域６８を前下方ウエスト弾性体７３が延在する吸液構造体４１の両側縁４１ｂ，４１ｃ上に配置することによって、吸液構造体４１の両側縁４１ｂ，４１ｃ及びその近傍に段差が生じるのを抑えることができる。また、前ウエスト域１３の両側部に弾性域７２Ａ，７２Ｂが位置することによって前ウエスト域１３が着用者の身体にフィットされるとともに、テープファスナ２０が前下方ウエスト弾性体７３及び後ウエスト弾性体３５の伸長応力によってウエスト回り方向へ引っ張れるので、おむつ１０の両側部をたくり寄せてサイズ調整をした状態で、前後ウエスト域１３，１４を着用者の身体にフィットさせることができる。
【００４７】
＜第５実施形態＞
図１６及び１７を参照すると、本実施形態においては、テープファスナ２０の遠位部２２において、近位部２１と掛止め域６８との間、より具体的には、第２折曲部５６と掛止め域６８との間には、ベースシート５８にそれとは別体のシート部材から形成された補助シート片８０が積層される。ベースシート５８と補助シート片８０とが積層された領域は、近位部２１及び第２遠位部６２に比べて剛性が高い高剛性領域が形成される。
【００４８】
補助シート片８０としては、例えば、質量が約１０〜６０ｇ／ｍ２、好ましくは、約２０〜４０ｇ／ｍ２のスパンボンド繊維不織布を好適に用いることができる。補助シート片８０をベースシート５８と同一の繊維不織布から形成してもよいが、ベースシート５８の質量が補助シート片８０の質量よりも大きく、剛性が高いことが好ましい。ベースシート５８の質量が補助シート片８０の質量よりも小さい場合には、摘持部６３を引っ張ったときに、そのシートの強度差によって、近位部２１と補助シート片８０のとの間においてベースシート５８が破断するおそれがあるからである。また、補助シート片８０の剛性をベースシート５８のそれよりも低くすることによって、テープファスナ２０の積層状態において補助シート片８０の積層域の外面が比較的に柔軟となり、肌触りが良好となる。
【００４９】
ベースシート５８が繊維不織布から形成される場合には、近位部２１による遠位部２２を後方へ引っ張ろうとする力によって第２遠位部６２が反り返り、掛止め域６８が前ウエスト域１３の外面から剥がれてしまうおそれがある。本実施形態に係るテープファスナ２０においては、その掛止めされた状態において全体が後ウエスト域１４の収縮によって後方へ引っ張れたとしても、近位部２１と掛止め域６８との間に高剛性領域が形成されていることによって、掛止め域６８が安定的に前ウエスト域１３の外面に掛止めされ、それが解除されるおそれはない。すなわち、前後ウエスト域１３，１４がウエスト周り方向に伸縮することによって、テープファスナ２０はウエスト回り方向へ引っ張られ、テープファスナ２０が変形してその両側縁部が反り返ったような状態となる。このように両側縁部が反り返ることによって掛止め域６８には剥離力が作用して剥離し易くなるところ、近位部２１と掛止め域６８との間に高剛性領域を配置することによって、テープファスナ２０を変形しようとする力を分散し、その変形を抑えることができる。また、テープファスナ２０を前ウエスト域１２に掛止めすることによって、サイドシーム２３が位置するおむつ１０の側縁部が前ウエスト域１２側へ倒伏される。倒伏された側縁部は、元の状態に復帰しようとしてそれに対向して当接する第１遠位部６１に外方へ向かう力を加え、遠位部２２を凸曲状に変形させようとする。側縁部１９近傍の遠位部２２がこのように変形することによって、掛止め域６８には剥離力が作用するが、高剛性領域がおむつ１０の側縁部と掛止め域６８との間に位置することによって遠位部２２の変形を抑え、掛止め域６８に剥離力が作用するのを抑制することができる。
【００５０】
かかる効果を奏するために、遠位部２２のうちの近位部２１と掛止め域６８との間に位置する部分（第１遠位部６１と第２遠位部６２の一部）に補助シート片８０が配置され、高剛性域８１が形成されていてもよい。かかる態様の場合には、近位部２１から掛止め域６８におけるテープファスナ２０の反り返りや変形を抑えることができるからである。また、高剛性領域は、近位部２１と第２仮止め部６６との間に位置していてもよいし、一部が掛止め域６８と重なるように位置していてもよい。
【００５１】
＜第６実施形態＞
図１８を参照すると、本実施形態に係るテープファスナ２０において、ベースシート９０が２つに折り曲げられており、その両端９０ａ，９０ｂが側縁部１９上に位置している。ベースシート９０は、その全体又は少なくとも遠位部２２が弾性を有しており、テープファスナ２０の摘持部６３を摘んでそのまま側方又は上方へ引っ張って仮止め部６９を分離し、それを伸長させて掛止め域６８を前ウエスト域１３の外面における吸液構造体４１の側縁４１ｄと重なるように配置することによって、吸液構造体４１の側縁４１ｄ近傍における段差を抑えることができる。ベースシート９０のうちの遠位部２２のみが弾性を有する場合には、近位部２１と遠位部２２とを異なるシート材料からそれぞれ形成することができる。
【００５２】
＜第７実施形態＞
図１９を参照すると、本実施形態に係るテープファスナ２０は、ベースシート９１が折曲されてない状態で横方向Ｘに直状に延びている。ベースシート９１は、両端９１ａ，９１ｂと、接合域６０を介して後ウエスト域１４の側部１８に固定された近位部９３と、近位部９３から側縁部１９側へ延びる遠位部９４とを有し、ベースシート９２の全体又は少なくとも遠位部９４の一部が弾性を有する。かかるテープファスナ２０の態様においても、摘持部６３を摘んでそのまま側方又は上方へ引っ張って仮止め部６９を分離し、それを伸長させて掛止め域６８を前ウエスト域１３の外面における吸液構造体４１の側縁４１ｄと重なるように配置することによって、吸液構造体４１の側縁４１ｄ近傍における段差を抑えることができる。テープファスナ２０のうち少なくとも遠位部９４の一部が弾性を有する場合には、該弾性部を除く部分が非弾性のシートで形成され、弾性を有する遠位部９４の一部がそれらに接合された弾性シートから形成されていてもよい。
【００５３】
おむつ１０を構成する各構成材料には、特に限定されている場合を除き、本明細書に記載されている材料のほかに、この種の分野において通常用いられている、各種公知の材料を制限なく使用することができる。また、おむつ１０は、前ウエスト域１３と、後ウエスト域１４と、クロッチ域１５とが一連に形成された態様であってもよい。本明細書及び特許請求の範囲において、用語「第１」、「第２」及び「第３」は、同種の要素、位置等を単に区別するために用いられている。
【００５４】
以上の記載した本発明に関する開示は、少なくとも下記事項に整理することができる。
縦方向及びそれに直交する横方向を有し、肌対向面及びその反対側の非肌対向面と、前後ウエスト域の一方である第１ウエスト域と、前記前後ウエスト域の他方である第２ウエスト域と、前記第１及び第２ウエスト域間に位置するクロッチ域と、前記クロッチ域を中心として少なくとも前記第２ウエスト域に延びる吸液構造体を含み、前記第１及び第２ウエスト域において前記縦方向へ延びる側縁部どうしが互いに重なり合って接合され、前記第１ウエスト域の側縁部の近傍においてテープファスナが取り付けられた使い捨てのパンツ型着用物品において、
前記第１及び第２ウエスト域のうちの少なくとも前記第１ウエスト域は前記横方向において弾性を有しており、前記テープファスナは、前記第１ウエスト域の前記側縁部の近傍に固定された近位部と、前記テープファスナを前記第２ウエスト域の前記非肌対向面に剥離可能に掛止めするための掛止め域を有する遠位部とを含み、前記掛け止め域が、前記第２ウエスト域において前記吸液構造体の側縁と重なるように配置されることを特徴とする前記着用物品。
【００５５】
上記段落００５４に開示した本発明は、少なくとも下記の実施の形態を含むことができる。該実施の形態は、分離して又は互いに組み合わせて採択することができる。
（１）前記テープファスナは、繊維不織布製である。
（２）前記第２ウエスト域において、少なくとも前記テープファスナの掛止め域が掛け止めされる領域は前記横方向において弾性を有する。
（３）前記第１ウエスト域の弾性域の伸長応力が、前記第２ウエスト域の弾性域の伸長応力よりも高い。
（４）前記第２ウエスト域の弾性域は、前記吸液構造体を横断して、前記第２ウエスト域の両側縁間において前記横方向へ延びる複数条のストリング状又はストランド状の弾性部材から形成される。
（５）前記第２ウエスト域の弾性域は、前記横方向へ延びる複数条のストリング状又はストランド状の弾性部材から形成され、前記第２ウエスト域の側縁から前記吸液構造体の側縁まで延び、互いに前記横方向へ離間して位置する一対の弾性域を有し、前記一対の弾性域間には非弾性域が位置する。
（６）前記第２ウエスト域の前記吸液構造体の存在域には、外面から視認可能な装飾要素を有するイラストシートが配置されており、前記第２ウエスト域に配置された前記弾性部材は、前記イラストシートの内面側に位置しており、前記吸液構造体の両側域と平面視において重なる部分において伸長応力を発現しており、前記吸液構造体の前記両側域間に位置する中央域においては実質的に伸長応力が発現されていない。
（７）前記第１ウエスト域は、前記テープファスナの前記近位部が固定される上方弾性域と、前記上方弾性域よりもクロッチ域側に位置する下方弾性域とを有し、前記上方弾性域の伸長応力が前記下方弾性域の伸長応力よりも高い。
（８）前記掛止め域はメカニカルファスナのフック要素を有するフックシートから形成されており、前記掛止め域の位置する高剛性部の前記テープファスナの両側縁部どうしを互いに近づける方向のＫＥＳ曲げ剛性値は、約０．５６〜１．８ｇｆ・ｃｍ２／ｃｍである。
（９）前記吸液構造体の前記側縁近傍には起立性向を有するバリアカフが設けられており、前記テープファスナの前記掛け止め域が前記第２ウエスト域において前記バリアカフと平面視において互いに重なる位置に掛け止めされる。
（１０）前記テープファスナは、前記遠位部が折曲された状態で仮止め部を介して前記近位部に仮止めされており、前記仮止め部は前記横方向において離間する第１及び第２仮止め部を有し、前記掛止め域は前記第１及び第２仮止部間における前記遠位部の内面に位置する。
（１１）前記遠位部のうちの前記近位部と前記掛止め域との間には、前記近位部よりも剛性の高い高剛性領域が形成される。
（１２）前記テープファスナの前記遠位部は弾性を有する。
【符号の説明】
【００５６】
１０  使い捨てのパンツ型着用物品（使い捨ておむつ）
１３  前ウエスト域（第１又は第２ウエスト域）
１４  後ウエスト域（第１又は第２ウエスト域）
１５  クロッチ域
２０  テープファスナ
２１  近位部
２２  遠位部
２８  前ウエスト弾性体
３５  後ウエスト弾性体
４１  吸液構造体
４１ｂ，４１ｃ，４１ｄ  吸液構造体の側縁
５１  第１弾性域（弾性域）
Ｘ    横方向
Ｙ    縦方向
【図１】
2015134019.tif 000003
【図２】
2015134019.tif 000004
【図３】
2015134019.tif 000005
【図４】
2015134019.tif 000006
【図５】
2015134019.tif 000007
【図６】
2015134019.tif 000008
【図７】
2015134019.tif 000009
【図８】
2015134019.tif 000010
【図９】
2015134019.tif 000011
【図１０】
2015134019.tif 000012
【図１１】
2015134019.tif 000013
【図１２】
2015134019.tif 000014
【図１３】
2015134019.tif 000015
【図１４】
2015134019.tif 000016
【図１５】
2015134019.tif 000017
【図１６】
2015134019.tif 000018
【図１７】
2015134019.tif 000019
【図１８】
2015134019.tif 000020
【図１９】
2015134019.tif 000021